(57)【特許請求の範囲】
【請求項１】
布製でいずれの方向にも変形容易な袋体と、該袋体の開口部に取り付けられる枠体と、該枠体の内側の導入口を開閉するスライド式のシャッタとを有し、該シャッタが開放された状態で前記枠体の導入口を介して前記袋体内に紙幣を収納可能な紙幣収納カセットと、
装填された前記紙幣収納カセットの前記枠体を支持する支持手段と、該支持手段で支持した前記紙幣収納カセットの前記袋体の中間部を窄めた状態とする昇降可能なエレベータ手段とを有する処理機本体とを備えた紙幣処理機であって、
前記エレベータ手段は、前記袋体の中間部に一方から押し付けて該中間部を窄めた状態とする回転可能なローラを具備することを特徴とする紙幣処理機。
【請求項２】
前記ローラは、回転自在のフリーローラであることを特徴とする請求項１記載の紙幣処理機。
【発明の詳細な説明】
【技術分野】
【０００１】
本発明は、紙幣処理機に関し、特にその収納構造の改良に関する。
【背景技術】
【０００２】
紙幣処理機において、紙幣を収納する収納カセットを処理機本体に対し着脱可能に構成し、この収納カセットを金庫として用いて紙幣の運搬を行うことが行われているが、収納カセットを蛇腹構造にして伸縮可能に構成し、紙幣の収納量に応じて収納容量を変化させることで、空状態での取扱性および保管効率を向上する技術がある（例えば、特許文献１参照）。
【特許文献１】特開２０００−１４９０８８号公報
【発明の開示】
【発明が解決しようとする課題】
【０００３】
しかしながら、上記の収納カセットは、蛇腹構造を採用していることから、伸縮方向の変形は容易であるものの、他の方向への変形は容易ではなく、また、最も縮長させた状態でも十分に小型化できるとは言えなかった。
【０００４】
したがって、本発明は、収納カセットの空状態での取扱性および保管効率を一層向上できる紙幣処理機の提供を目的とする。
【課題を解決するための手段】
【０００５】
上記目的を達成するために、請求項１に係る発明は、布製でいずれの方向にも変形容易な袋体と、該袋体の開口部に取り付けられる枠体と、該枠体の内側の導入口を開閉するスライド式のシャッタとを有し、該シャッタが開放された状態で前記枠体の導入口を介して前記袋体内に紙幣を収納可能な紙幣収納カセットと、装填された前記紙幣収納カセットの前記枠体を支持する支持手段と、該支持手段で支持した前記紙幣収納カセットの前記袋体の中間部を窄めた状態とする昇降可能なエレベータ手段とを有する処理機本体とを備えた紙幣処理機であって、前記エレベータ手段は、前記袋体の中間部に一方から押し付けて該袋体の中間部を窄めた状態とする回転可能なローラを具備することを特徴としている。
【０００６】
請求項２に係る発明は、請求項１に係る発明において、前記ローラは、回転自在のフリーローラであることを特徴としている。
【発明の効果】
【０００７】
請求項１に係る発明によれば、布製でいずれの方向にも変形容易な袋体と、袋体の開口部に取り付けられる枠体と、枠体の内側の導入口を開閉するスライド式のシャッタとを有する紙幣収納カセットを、その枠体において、処理機本体の支持手段に支持させるとともに、処理機本体のエレベータ手段で袋体の中間部を窄めた状態とする。すると、袋体の窄められた部分が収納空間の底部となって導入口から導入された紙幣をその上側に収納する。そして、例えば収納量が多くなるとエレベータ手段が下降することで袋体の窄めた位置つまり収納空間の底部を下げることができ、収納空間を拡大することができる。このように、紙幣の収納量に応じて収納空間の大きさを設定できるため、紙幣の収納状態が乱雑になることなく良好に収納することができる。そして、空の状態の紙幣収納カセットは、袋体が布製でいずれの方向にも変形容易であるため、変形自由度が高くて取扱性に優れることになり、また、一層小さく折り畳むことができることになって保管効率も優れることになる。
しかも、エレベータ手段のローラで窄められた袋体の収納空間の底部を昇降させる際に、ローラが回転することで袋体との摩擦力が軽減されて、円滑に昇降できることになる。
さらに、布製の袋体に対してエレベータ手段のローラを一方から押し付ければよいので、処理機本体への紙幣収納カセットの装着作業を容易に行うことができる。
【０００８】
請求項２に係る発明によれば、エレベータ手段のローラで窄められた袋体の収納空間の底部を下降させる際に、フリーローラであるローラは袋体との摩擦によって摩擦力を軽減するように回転するため、袋体との摩擦力が軽減されて、円滑に下降できることになる。
【発明を実施するための最良の形態】
【０００９】
本発明の一実施形態の紙幣収納カセットおよびそれを用いた紙幣処理機を図面を参照して以下に説明する。
図１は紙幣処理機１を示すもので、この紙幣処理機１は、バラの紙幣Ｓを計数して入金および収納する入金収納処理と、バラの紙幣Ｓを計数して返却する計数処理とを行うことが可能とされるものである。
【００１０】
紙幣処理機１は、図１に概略的に示すように、処理機本体２と、処理機本体２に対し着脱可能に装填される紙幣収納カセット３とを有している。
【００１１】
処理機本体２は、機体の前面２Ａ側の上部にバラ紙幣Ｓが投入される装填部１２が設けられ、この装填部１２の下側に機体内からリジェクト紙幣が繰り出されるリジェクト部１３が設けられている。
【００１２】
装填部１２は、水平に対し若干後ろ下がりに傾斜してその底をなす台部１５を有しており、この台部１５上に紙幣Ｓが上下方向に集積された状態で装填される。なお、台部１５を水平に配置しても良い。
【００１３】
また、装填部１２には、台部１５の機体奥側上方に機体左右方向に沿って配設された回動軸１６と、この回動軸１６に回動可能に支持されて台部１５の上側で上下に揺動可能とされ、台部１５上に装填された紙幣Ｓを台部１５との間で挟持するビルプレス１７とが設けられている。
【００１４】
処理機本体２は、装填部１２の機体奥側に、このように台部１５上に装填されたバラ紙幣Ｓを、下側のものから一枚ずつ分離して機体内に繰り出す分離繰出部２０を有している。この分離繰出部２０は、装填部１２の台部１５に、台部１５から上部を一部突出させた状態で機体左右方向に沿う軸回りに回転可能に設けられた蹴出ローラ２１と、台部１５よりも機体奥側に蹴出ローラ２１と平行な軸回りに回転可能に設けられた繰出ローラ２２と、この繰出ローラ２２の上側に繰出ローラ２２と平行な軸回りに回転可能に設けられた分離ローラ２３とを有している。分離ローラ２３は、図示せぬワンウエイクラッチによって繰出ローラ２２側が紙幣Ｓを機体奥方に移動させる方向の回転、すなわち図１における反時計回り方向の回転が規制され、逆方向の回転のみ許容される。
【００１５】
このような分離繰出部２０は、台部１５上に装填されたバラ紙幣Ｓの最下のものを蹴出ローラ２１で繰出ローラ２２と分離ローラ２３との間に蹴り出し、この蹴り出し時に最下の紙幣Ｓに引きずられて繰出ローラ２２と分離ローラ２３との間に移動した紙幣Ｓを分離ローラ２３で止めて蹴り出された最下の紙幣Ｓのみを繰出ローラ２２で機体内方に繰り出す。
【００１６】
処理機本体２は、分離繰出部２０の機体奥側に接続され、分離繰出部２０から繰り出された紙幣Ｓを搬送する搬送部２５を有している。この搬送部２５は、紙幣Ｓを案内する複数のガイド板と搬送ローラと振分部材等で構成されるもので、分離繰出部２０から略水平に沿って機体奥側に延出した後に下側に折り返し略水平に沿って機体手前側に延出してリジェクト部１３に接続される搬送路２６と、この搬送路２６の途中から分岐して前下がりに延出する搬送路２７とを有しており、搬送路２６には、搬送中の紙幣Ｓの金種、真偽、正損および搬送異常の識別と計数とを行う識別部２８が設けられている。
【００１７】
処理機本体２は、搬送部２５の搬送路２７の端末位置に、識別部２８により真紙幣かつ正紙幣で正常搬送と識別された紙幣Ｓを金種混合で一時貯留させる一時貯留部３０が接続されている。この一時貯留部３０は、機体前面側から開閉可能な返却扉３１と、返却扉３１とで平面視枠状をなす壁部３２と、機体前後方向に水平にスライドすることで返却扉３１および壁部３２で囲まれた一時貯留空間３３の下部を開閉する一時貯留部シャッタ３４と、紙幣Ｓを下方に押し込む昇降可能な押込部３５とを有している。そして、処理機本体２には、各部を制御する制御部３６と、操作者による操作入力が行われる操作部３７と、操作者への表示を行う表示部３８とが設けられている。また、返却扉３１には、制御部３６でロックおよびロック解除が制御される返却扉ロック部３９が設けられている。
【００１８】
なお、装填部１２には、紙幣Ｓが分離繰出部２０の分離繰出方向に短手方向を沿わせる姿勢で装填されることになり、搬送部２５は紙幣Ｓをその短手方向を搬送方向に沿わせた姿勢で搬送し、その短手方向を放出方向に沿わせた姿勢で一時貯留部３０およびリジェクト部１３のいずれかに放出させる。勿論、紙幣Ｓを長手方向を搬送方向に沿わせた姿勢で搬送するようにしても良い。
【００１９】
そして、紙幣収納カセット３は、処理機本体２の前面２Ａに設けられた開閉可能な扉体４０を開いた状態で処理機本体２に対し機体前後方向に出し入れされることになり、処理機本体２に装填された状態で一時貯留部３０の鉛直下方に配置される。以下、紙幣収納カセット３を処理機本体２に装填された状態をもって説明する。
【００２０】
図２に示すように、紙幣収納カセット３は、滑りの良い布製であって長さ方向一側に開口部４１を有する略有底角筒状に縫製された袋体４２を有している。この袋体４２は全体的に布製とされることで、三次元のいずれの方向にも変形容易となっているものの、外力を受けない状態では縫製によって有底角筒状をほぼ維持可能になっている。
【００２１】
紙幣収納カセット３は、袋体４２の開口部４１側の周縁部に取り付けられる金属製または合成樹脂製の枠体４３を有している。この枠体４３は、平面視が長方形枠状をなすとともに袋体４２の開口部４１側の周縁部の全周に取り付けられる下部構成体４４と、この下部構成体４４に開閉可能にヒンジ結合された平面視が長方形枠状の上部構成体４６とを有している。上部構成体４６は下部構成体４４に対して閉状態（当接状態）でロック可能とされている。下部構成体４４には、周方向に等間隔で係止突起部４７が形成されており、袋体４２の開口部４１側の周縁部が係止突起部４７に係止される。そして、下部構成体４４の内側に嵌合固定される角リング状の保持部材４８によって、係止突起部４７に係止された袋体４２の上方移動を規制し、係止突起部４７からの外れを規制する。
【００２２】
紙幣収納カセット３は、その枠体４３が、処理機本体２に機体前後方向に沿う水平状態で固定されたガイドレール５０で案内されて処理機本体２内に配置されることになり、ガイドレール５０の上面に載置されて水平状態に支持されることになる。
【００２３】
上部構成体４６には、枠体４３の上部に形成された導入口５２を開閉するスライド式のカセットシャッタ（シャッタ）５３が設けられている。このカセットシャッタ５３は、上部構成体４６に形成されたガイド溝５４に沿って導入口５２を機体前後方向の一方から他方まで水平状態でスライドする平板状のスライド体５５と、このスライド体５５に回動軸５６を介して回動自在にヒンジ結合される揺動体５７とを有している。
【００２４】
上部構成体４６には、閉状態のカセットシャッタ５３の下側に、一対のフラッパ６０がそれぞれ回動軸６１を中心に回動可能に設けられている。これらフラッパ６０は、それぞれが支持される回動軸６１から互いに近接する方向に延出し、平面視で導入口５２内に両側から突出する閉状態と、回動軸６１を中心に下方に回動して平面視で導入口５２内から退避する開状態との間で回動可能とされ、閉状態となるように図示せぬネジリバネで付勢されている。
【００２５】
一時貯留部３０の鉛直下方位置つまり紙幣収納カセット３が装填される装填空間には、昇降可能な可動ステージ６３が設けられている。この可動ステージ６３は、図３に示すように、左右方向に延在する本体７０の両側部に、それぞれ鉛直方向に延在するガイドレール６２，６２によって移動が案内されるガイドローラ７１を備えている。また、本体７０の背面側には上下方向に沿って平行な突条７３を備えたガイドプレート７４が配置されており、一方、本体７０の背面にはガイドプレート７４の突条７３に対応する凹部７５が形成されている。この凹部７５が突条７３によって案内されるとともにガイドローラ７１がガイドレール６２に案内されることで、可動ステージ６３の本体７０が一定姿勢を維持したままガイドレール６２及びガイドプレート７４の突条７３に沿って昇降可能になっている。なお、図２において、図示都合上、ガイドプレート７４を省略している。
【００２６】
可動ステージ６３の本体７０の前方には、左右一対の支持部７７により回転軸７８が回動自在に軸支されている。この回転軸７８は、本体７０の上縁と略同じ高さ位置に配置され、この回転軸７８の軸回りには、それぞれ所定の間隔で一対の支持ローラ６４が取付けられている。この支持ローラ６４は、その回転軸が本体７０の上縁と略同じ高さ位置に配置されるため、支持ローラ６４の上部が可動ステージ６３の最上部を構成している。また、可動ステージ６３は、スプリング（図示略）で上昇方向に付勢されており、昇降可能な上限位置においてはストッパ（図示略）に当接する。
【００２７】
以上の紙幣処理機１においては、処理機本体２の前面の扉体４０を開いた状態で、カセットシャッタ５３が閉状態とされた空の紙幣収納カセット３を処理機本体２内の所定の装填位置に装填する。つまり、紙幣収納カセット３の枠体４３をガイドレール５０上を摺動させて奥側の所定位置まで移動させる。すると、カセットシャッタ５３のロックが解除されるとともに枠体４３が処理機本体２にロックされる。
【００２８】
ロックが解除されたカセットシャッタ５３を処理機本体２の前面２Ａ側に引き出すと、引き出されたカセットシャッタ５３は、スライド体５５が導入口５２から退避する位置に位置すると揺動体５７が全体として枠体４３よりも外側に位置し、回動軸５６を介して回動可能となって下方に延出する姿勢に折り畳まれる。
【００２９】
図４は処理機本体２に装填する前の紙幣収納カセット３を示しており、この状態の紙幣収納カセット３を、図５（ａ）に示すように処理機本体２に装填すると、変形容易な袋体４２は、上部の待機位置に位置する可動ステージ６３の支持ローラ６４が後方から押し付けられ、この支持ローラ６４の上側にその一部が載置されることになり、これにより、袋体４２は中間部が窄められた状態となる。このとき、袋体４２の窄められた窄部６７よりも上側が紙幣Ｓを収納する収納空間６８となり、袋体４２の窄められた窄部６７が収納空間６８の底部となる。
【００３０】
そして、例えば、紙幣Ｓの入金収納処理を行う場合には、操作者が装填部１２のビルプレス１７を持ち上げてこれと台部１５との間に紙幣Ｓを、その短手方向を機体前後方向に沿わせた状態で装填する。このとき、金種混合の装填および単一金種の装填のいずれも可能である。そして、操作者が操作部３７に入金開始の操作を入力すると、制御部３６が分離繰出部２０と搬送部２５とを駆動する。すると、装填部１２に装填された紙幣Ｓが最下のものから一枚ずつ機内に繰り出され、搬送部２５で搬送される。その途中で識別部２８により受け入れ可能と識別された紙幣Ｓが搬送路２７から一時貯留部３０内に放出され、それ以外の紙幣Ｓがリジェクト部１３に放出される。なお、リジェクト部１３に放出された紙幣Ｓはそのまま機外へ取り出し可能となる。
【００３１】
上記のようにして、装填部１２に装填された紙幣Ｓが、リジェクト部１３および一時貯留部３０のいずれかに放出されることですべてなくなると、制御部３６は、分離繰出部２０および搬送部２５を停止させて、識別部２８の識別結果に基づいて一時貯留部３０に一時貯留された紙幣Ｓの識別結果を表示部３８に表示させる。この表示を見て操作者がキャンセル操作を操作部３７に入力すると、制御部３６は返却扉ロック部３９で返却扉３１のロックを解除して開放可能とし、操作者が返却扉３１を開いて直接一時貯留部３０の紙幣Ｓを取り出すことになる。
【００３２】
他方、表示を見て操作者が承認操作を操作部３７に入力すると、制御部３６は一時貯留部シャッタ３４を開作動させることになり、一時貯留空間３３から、紙幣Ｓが下方に落下して、カセットシャッタ５３が開放された紙幣収納カセット３の導入口５２を通って閉状態の一対のフラッパ６０上に載置される。続いて、制御部３６は、押込部３５を下降させて、一対のフラッパ６０上の紙幣Ｓを、これらフラッパ６０を下方に回動させながら押し込む。すると、紙幣Ｓは、一対のフラッパ６０を通過して、可動ステージ６３で窄められた窄部６７で底部が形成される袋体４２の収納空間６８の底部または既に収納された紙幣Ｓ上に収納される。一対のフラッパ６０は紙幣Ｓが離れることで図示略のネジリバネの付勢力で水平状態に戻る。このとき、袋体４２の可動ステージ６３で窄められた窄部６７より下側に紙幣Ｓが進入することはない。
【００３３】
また、このとき、押込部３５の下降による紙幣Ｓを介しての押圧で、可動ステージ６３とその支持ローラ６４で窄められて形成される収納空間６８の底部とが、図５（ｂ）に示すように押し込む紙幣量に応じて下降することになる。その際に相対的に上昇する袋体４２との摩擦で摩擦力を軽減するように回転自在の支持ローラ６４が袋体４２と接触する側を上向きに移動させるように回転する。これにより、支持ローラ６４と、これに対し相対的に上昇する袋体４２との摩擦力が軽減される。
【００３４】
その後、押込部３５が閉状態のフラッパ６０間を通過しながら上昇すると、スプリングの付勢力で可動ステージ６３とその支持ローラで窄められて形成される収納空間６８の底部とが上昇することになるが、この上昇時にも、相対的に下降する袋体４２との摩擦で摩擦力を軽減するように回転自在の支持ローラ６４が袋体４２と接触する相互近接側を下向きに移動させるように回転する。これにより、支持ローラ６４と、これに対し相対的に下降する袋体４２との摩擦力が軽減される。
【００３５】
なお、以上の紙幣処理機１で紙幣Ｓの計数処理を行う場合は、上記と同様にして、装填部１２に装填された紙幣Ｓがすべてリジェクト部１３および一時貯留部３０に搬送されたら、一時貯留部３０から紙幣収納カセット３に紙幣Ｓを収納せずに、返却扉３１を開いて一時貯留部３０の紙幣Ｓを操作者に返却することになる。
【００３６】
上記のようにして紙幣Ｓを収納した紙幣収納カセット３を処理機本体２から取り出す場合には、まず、操作者は、扉体４０を開き、揺動体５７を水平に持ち上げて枠体４３に押し込むことでカセットシャッタ５３を閉じる。すると、カセットシャッタ５３が閉状態でロックされるとともに、枠体４３の処理機本体２に対するロックが解除されることになり、紙幣収納カセット３が処理機本体２から取り出し可能となる。このようにして処理機本体２から取り出された紙幣収納カセット３から紙幣を取り出す際には、操作者が上部構成体４６の下部構成体４４に対するロックを解除して上部構成体４６をカセットシャッタ５３と一体に揺動させて開き、袋体４２内から紙幣を取り出すことになる。
【００３７】
以上に述べた本実施形態の紙幣処理機１によれば、布製でいずれの方向にも変形容易な袋体４２と、袋体４２の開口部４１に取り付けられる金属製の枠体４３と、枠体４３の内側の導入口６１を開閉するスライド式のカセットシャッタ５３とを有する収納カセット３を、その枠体４３において、処理機本体２のガイドレール５０に支持させるとともに、処理機本体２の可動ステージ６３で袋体４２の中間部を窄めた状態とする。すると、袋体４２の窄められた窄部６７が収納空間６８の底部となって導入口６１から導入された紙幣Ｓをその上側に収納する。そして、例えば収納量が多くなると押込部３５が紙幣Ｓを介して可動ステージ６３を下降させることで袋体４２の窄部６７つまり収納空間６８の底部を下げることができ、収納空間６８を拡大することができる。このように、紙幣Ｓの収納量に応じて収納空間６８の大きさを設定できるため、紙幣Ｓの収納状態が乱雑になることなく良好に収納することができる。そして、空の状態の収納カセット３は、袋体４２が布製でいずれの方向にも変形容易であるため、変形自由度が高くて取扱性に優れることになり、また、一層小さく折り畳むことができることになって保管効率も優れることになる。
【００３８】
しかも、押込部３５が、可動ステージ６３と、その支持ローラ６４で窄められて形成される収納空間６８の底部とを紙幣Ｓを介して下降させる際に、支持ローラ６４は、袋体４２との摩擦によって、袋体４２と接触する側が袋体４２の相対移動方向である上向きに移動するように回転させられることになって、袋体４２との摩擦力が軽減されることになり、その結果、円滑に下降することになる。また、押込部３５が上昇することで、可動ステージ６３と、その支持ローラ６４で窄められて形成される収納空間６８の底部とをスプリングの付勢力で上昇させる際にも、支持ローラ６４は、袋体４２との摩擦によって、袋体４２と接触する相互近接側が袋体４２の相対移動方向である下向きに移動するように回転させられることになって袋体４２との摩擦力が軽減されることになり、その結果、円滑に上昇することになる。
【００３９】
さらに、紙幣収納カセット３を処理機本体２の扉体４０を開いて装填する際に、紙幣収納カセット３の枠体４３をガイドレール５０に沿って、処理機本体２の前方から後方に向かって装填するだけで、可動ステージ６３の支持ローラ６４を紙幣収納カセット３の布製の袋体４２の後方に押し付けることができるため、紙幣収納カセット３の装填作業を容易に行うことができる。また、処理機本体２から紙幣収納カセット３を取り出す場合は、ガイドレール５０に沿って処理機本体２の前方に引っ張るだけでよい為、取り出し作業を容易に行うことができる。
【００４０】
なお、上述したこの発明の実施形態では、支持ローラが回動自在に設けられたいわゆるフリーローラである場合について説明したが、例えば、支持ローラが可動ステージ６３の昇降に連動して積極的に回転する構成にしてもよい。
また、支持ローラ６４を機体に装填された状態の袋体４２の後方から押し付ける場合について説明したが、一方向から押し付ける構成であれば、例えば機体に装填された状態の袋体４２の側方から押し付けるように構成してもよい。
【図面の簡単な説明】
【００４１】
【図１】本発明の実施の形態における紙幣処理機の概略構成図である。
【図２】本発明の実施の形態における処理機本体内部の部分断面図である。
【図３】本発明の実施の形態における可動ステージの斜視図である。
【図４】本発明の実施の形態における装填前の紙幣収納カセットおよびその装填空間の側面図である。
【図５】本発明の実施の形態における装填空間の側面図であり、（ａ）は可動ステージが待機位置に位置する場合を示し、（ｂ）は可動ステージが待機位置から下降した場合を示している。
【符号の説明】
【００４２】
１  紙幣処理機
２  処理機本体
３  紙幣収納カセット
４２  袋体
４３  枠体
５０  ガイドレール（支持手段）
５２  導入口
５３  カセットシャッタ（シャッタ）
６３  可動ステージ（エレベータ手段）
６４  支持ローラ（ローラ）
【図１】
0005041928.tif 000002
【図２】
0005041928.tif 000003
【図３】
0005041928.tif 000004
【図４】
0005041928.tif 000005
【図５】
0005041928.tif 000006